(57)【特許請求の範囲】
【請求項１】
遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備え、
前記第一板部は、前記カバー閉止状態にて前記爪係止用開口部と係合するカバー側爪部を備え、
前記第二板部は、前記カバー取り付け基部と回転可能に嵌合するボス部材嵌合部を備え、
前記カバー側爪部は、前記爪係止用開口部を通過可能な弾性を有し、
前記ハーネスカバーは、前記カバー側爪部と前記ボス部材嵌合部との間における予め設定した部分の剛性を、前記カバー側爪部と前記ボス部材嵌合部との間における他の部分の剛性よりも低下させる剛性低下部を備えることを特徴とする遊技機。
【請求項２】
遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備え、
前記第一板部は、前記カバー閉止状態にて前記爪係止用開口部と係合するカバー側爪部を備え、
前記第二板部は、前記カバー取り付け基部と回転可能に嵌合するボス部材嵌合部を備え、
前記カバー側爪部は、前記爪係止用開口部を通過可能な弾性を有し、
前記第一板部は、前記第二板部と連続する辺と反対側の辺と前記ボス部材嵌合部に近い端部とを連続して切り欠いた形状の端部側切り欠き部を備えることを特徴とする遊技機。
【請求項３】
遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備え、
前記第一板部は、前記カバー閉止状態にて前記爪係止用開口部と係合するカバー側爪部を備え、
前記第二板部は、前記カバー取り付け基部と回転可能に嵌合するボス部材嵌合部を備え、
前記カバー側爪部は、前記爪係止用開口部を通過可能な弾性を有し、
前記裏箱は、前記側壁部又は前記フランジ部から前記カバー取り付け基部と同じ方向へ突出する裏箱側係止リブを備え、
前記裏箱側係止リブは、前記側壁部及び前記フランジ部の一方から離れるにつれて側壁部及びフランジ部の他方へ近づく角度で傾斜する斜面である係止リブ斜面を有することを特徴とする遊技機。
【請求項４】
遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備え、
前記第一板部は、前記カバー閉止状態にて前記爪係止用開口部と係合するカバー側爪部を備え、
前記第二板部は、前記カバー取り付け基部と回転可能に嵌合するボス部材嵌合部を備え、
前記カバー側爪部は、前記爪係止用開口部を通過可能な弾性を有し、
前記ハーネスカバーは、前記第二板部と連続し、且つ前記カバー閉止状態にて前記第一板部よりも前記側壁部又は前記フランジ部と近接して対向する板状のリブ形成板部を備えることを特徴とする遊技機。
【発明の詳細な説明】
【技術分野】
【０００１】
本発明は、例えば、電動役物等の表側動作部と、表側動作部へ制御信号を出力する制御装置とを接続する配線を、遊技盤を収容する裏箱の外側で保持することにより、裏箱の内部において配線が占める領域を減少可能なハーネスカバーを備える遊技機に関する。
【背景技術】
【０００２】
近年の遊技機は、遊技盤面上に配置された電動役物等の表側動作部と、表側動作部へ制御信号を出力する制御装置とを接続する多数の配線が必要な構成となっている。このため、遊技盤を収容する裏箱の内部において配線が占める領域の減少が要求される場合がある。
上記の要求に対し、例えば、配線を保持する配線保持具を、裏箱と別体で構成した遊技機が知られている（例えば、特許文献１参照）。配線保持具は、裏箱の後面に固定される基部と、基部に対して着脱可能な開閉部とを備えており、さらに、開閉部を基部に対して着脱可能とするために、開閉部に爪片を形成し、基部に爪片を係止するための引掛片を形成する。したがって、特許文献１に記載の発明では、基部のうち裏箱に固定した面と反対側の面から突出する開閉部と引掛片を備える構成となる。
【先行技術文献】
【特許文献】
【０００３】
【特許文献１】特開２０１２‐１１００８号公報
【発明の概要】
【発明が解決しようとする課題】
【０００４】
上述した特許文献１に記載されている技術では、配線保持具の構成が、基部の面から突出する開閉部と、爪片を係止するための引掛片を備える構成であるため、爪片を含む開閉部と、引掛片の剛性を確保する必要がある。
しかしながら、開閉部及び引掛片の剛性が高い場合、引掛片に爪片を係止する作業において、開閉部や引掛片に加わる応力により、開閉部及び引掛片に損傷が生じる可能性を低減させることが困難であった。
そこで、本発明は、このような従来の技術の有する未解決の課題に着目してなされたものである。本発明は、裏箱の外側で配線を保持する部材の損傷を抑制することが可能な遊技機を提供することを目的としている。
【課題を解決するための手段】
【０００５】
〔発明１〕  上記目的を達成するために、発明１の遊技機は、遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備えている。
【０００６】
そして、前記第一板部は、前記カバー閉止状態にて前記爪係止用開口部と係合するカバー側爪部を備えている。また、前記第二板部は、前記カバー取り付け基部と回転可能に嵌合するボス部材嵌合部を備えている。
さらに、前記カバー側爪部は、前記爪係止用開口部を通過可能な弾性を有している。
これに加え、前記ハーネスカバーは、前記カバー側爪部と前記ボス部材嵌合部との間における予め設定した部分の剛性を、前記カバー側爪部と前記ボス部材嵌合部との間における他の部分の剛性よりも低下させる剛性低下部を備えている。
このような構成であれば、ハーネスカバーを移動させる際には、カバー取り付け基部と嵌合しているボス部材嵌合部を軸にハーネスカバーを回転させて、カバー側爪部を、弾性変形させながら爪係止用開口部を通過させる。
これにより、ハーネスカバーの閉止時に、カバー側爪部に加わる応力を低減させることが可能となり、裏箱の外側で配線を保持する部材であるハーネスカバーの損傷を抑制することが可能となる。
また、このような構成であれば、ハーネスカバーを、他の部分のよりも剛性の低い低剛性部と、低剛性部よりも剛性が高く、カバー側爪部とボス部材嵌合部を備える二箇所の通常剛性部に区分することが可能となる。
これにより、ハーネスカバーを移動させる際に、ボス部材嵌合部を基点としてハーネスカバーを持ち上げると、二箇所の通常剛性部の変形が抑制された状態で、低剛性部を湾曲させることが可能となる。
〔発明２〕 発明２の遊技機は、遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備えている。
そして、前記第一板部は、前記カバー閉止状態にて前記爪係止用開口部と係合するカバー側爪部を備えている。また、前記第二板部は、前記カバー取り付け基部と回転可能に嵌合するボス部材嵌合部を備えている。
さらに、前記カバー側爪部は、前記爪係止用開口部を通過可能な弾性を有している。
これに加え、前記第一板部は、前記第二板部と連続する辺と反対側の辺と前記ボス部材嵌合部に近い端部とを連続して切り欠いた形状の端部側切り欠き部を備えている。
このような構成であれば、ハーネスカバーを移動させる際には、カバー取り付け基部と嵌合しているボス部材嵌合部を軸にハーネスカバーを回転させて、カバー側爪部を、弾性変形させながら爪係止用開口部を通過させる。
これにより、ハーネスカバーの閉止時に、カバー側爪部に加わる応力を低減させることが可能となり、裏箱の外側で配線を保持する部材であるハーネスカバーの損傷を抑制することが可能となる。
また、このような構成であれば、ハーネスカバーを移動させて第一板部を側壁部又はフランジ部から離間させると、第一板部と側壁部又はフランジ部との間に、側壁部又はフランジ部の厚さ方向から見て、第一板部が端部側切り欠き部を備えていない場合よりも大きな隙間を形成することが可能となる。
これにより、第一板部と側壁部又はフランジ部との間に同じ大きさの隙間を形成するために必要なハーネスカバーの移動量を、減少させることが可能となる。
〔発明３〕 発明３の遊技機は、遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備えている。
そして、前記第一板部は、前記カバー閉止状態にて前記爪係止用開口部と係合するカバー側爪部を備えている。また、前記第二板部は、前記カバー取り付け基部と回転可能に嵌合するボス部材嵌合部を備えている。
さらに、前記カバー側爪部は、前記爪係止用開口部を通過可能な弾性を有している。
これに加え、前記裏箱は、前記側壁部又は前記フランジ部から前記カバー取り付け基部と同じ方向へ突出する裏箱側係止リブを備え、前記裏箱側係止リブは、前記側壁部及び前記フランジ部の一方から離れるにつれて側壁部及びフランジ部の他方へ近づく角度で傾斜する斜面である係止リブ斜面を有している。
このような構成であれば、ハーネスカバーを移動させる際には、カバー取り付け基部と嵌合しているボス部材嵌合部を軸にハーネスカバーを回転させて、カバー側爪部を、弾性変形させながら爪係止用開口部を通過させる。
これにより、ハーネスカバーの閉止時に、カバー側爪部に加わる応力を低減させることが可能となり、裏箱の外側で配線を保持する部材であるハーネスカバーの損傷を抑制することが可能となる。
また、このような構成であれば、ハーネスカバーを移動させて、裏箱側係止リブを乗り越える際に、ハーネスカバーの一部が、係止リブ斜面の傾斜に沿って裏箱側係止リブを乗り越えることが可能となる。
これにより、ハーネスカバーを側壁部又はフランジ部へ近づく方向へ移動させる際に、ボス部材嵌合部を基点としてハーネスカバーを持ち上げなくとも、ハーネスカバーを、係止リブ斜面の傾斜に沿って側壁部又はフランジ部へ近づく方向へ移動させながら、裏箱側係止リブを乗り越えさせることが可能となる。
〔発明４〕 発明４の遊技機は、遊技盤の表側に設けられた遊技盤面上に配置され、且つ制御装置から入力された制御信号に応じて動作する表側動作部と、前記遊技盤のうち前記遊技盤面以外の面を覆う状態で遊技盤を収容する凹部を有する裏箱と、少なくとも一部が前記裏箱のうち前記凹部の外側へ配置されて前記制御装置と前記表側動作部とを接続する配線と、前記裏箱のうち前記凹部を囲む側面部との間に空間を形成したカバー閉止状態にて前記配線の少なくとも一部を前記空間内に収容して保持するハーネスカバーと、を備える遊技機であって、
前記側面部は、前記凹部と対向する側壁部と、当該側壁部から突出し、且つ前記凹部から離れる方向に延材するフランジ部と、を備え、
前記裏箱は、前記側壁部又は前記フランジ部から突出するカバー取り付け基部と、前記側壁部又は前記フランジ部の前記カバー取り付け基部が突出する方向とは異なる位置に開口する爪係止用開口部と、を備え、
前記ハーネスカバーは、前記カバー閉止状態にて前記側壁部又は前記フランジ部と対向する板状の第一板部と、当該第一板部と連続した板状の第二板部と、を備えている。
そして、前記第一板部は、前記カバー閉止状態にて前記爪係止用開口部と係合するカバー側爪部を備えている。また、前記第二板部は、前記カバー取り付け基部と回転可能に嵌合するボス部材嵌合部を備えている。
さらに、前記カバー側爪部は、前記爪係止用開口部を通過可能な弾性を有している。
これに加え、前記ハーネスカバーは、前記第二板部と連続し、且つ前記カバー閉止状態にて前記第一板部よりも前記側壁部又は前記フランジ部と近接して対向する板状のリブ形成板部を備えている。
このような構成であれば、ハーネスカバーを移動させる際には、カバー取り付け基部と嵌合しているボス部材嵌合部を軸にハーネスカバーを回転させて、カバー側爪部を、弾性変形させながら爪係止用開口部を通過させる。
これにより、ハーネスカバーの閉止時に、カバー側爪部に加わる応力を低減させることが可能となり、裏箱の外側で配線を保持する部材であるハーネスカバーの損傷を抑制することが可能となる。
また、このような構成であれば、ハーネスカバーを側壁部及びフランジ部の一方から離れる方向へ移動させて、ハーネスカバーが、カバー取り付け基部に嵌合しているボス部材嵌合部のみで裏箱に支持されている状態であっても、ハーネスカバーの湾曲を抑制することが可能となる。
これにより、ハーネスカバーが、カバー取り付け基部に嵌合しているボス部材嵌合部のみで裏箱に支持されている状態であっても、配線の少なくとも一部を内部に収容する空間の変形を抑制することが可能となる。
【０００７】
〔発明５〕  さらに、発明５の遊技機は次の通りである。すなわち、発明１から発明４のうちいずれか１つの遊技機において、前記第一板部は、前記カバー側爪部が前記側壁部又は前記フランジ部と接触しながら前記爪係止用開口部を通過可能な弾性をカバー側爪部に付与するように前記第一板部を切り欠いた爪部側切り欠き部を備えている。
このような構成であれば、第一板部を切り欠いて形成した爪部側切り欠き部により、カバー側爪部に、カバー側爪部が側壁部及びフランジ部の他方と接触しながら爪係止用開口部を通過可能な弾性を付与することが可能となる。
これにより、ハーネスカバーの材料の変更や、第一板部の薄肉加工等を必要とせずに、カバー側爪部に、カバー側爪部が側壁部及びフランジ部の他方と接触しながら爪係止用開口部を通過可能な弾性を付与することが可能となる。
【０００９】
〔発明６〕  さらに、発明６の遊技機は次の通りである。すなわち、発明１の遊技機において、前記剛性低下部は、前記第一板部と前記第二板部が連続している部分の一部を連続して切り欠いたスリットで形成されている。
このような構成であれば、剛性低下部を、例えば、硬化後の剛性が異なる樹脂材料を用いた二色成型や、薄肉加工や、複数の開口部により形成する場合と比較して、剛性低下部を容易に形成することが可能となる。
これにより、ボス部材嵌合部を基点としてハーネスカバーを持ち上げた際に、二箇所の通常剛性部の変形が抑制された状態で、低剛性部を湾曲させることが可能なハーネスカバーの製造コストを、低減させることが可能となる。
【００１３】
〔発明７〕  さらに、発明７の遊技機は次の通りである。すなわち、発明３の遊技機において、前記第一板部又は前記第二板部は、前記カバー閉止状態にて前記側壁部又は前記フランジ部と前記裏箱側係止リブとの間に配置されるカバー側係止リブを備えている。
このような構成であれば、カバー閉止状態では、第一板部又は第二板部が備えるカバー側係止リブを、側壁部又はフランジ部と裏箱側係止リブとの間に配置することが可能となる。
これにより、ハーネスカバーの閉止時に、ハーネスカバーの変位を抑制して、カバー閉止状態を維持することが可能となる。
【００１４】
〔発明８〕  さらに、発明８の遊技機は次の通りである。すなわち、発明７の遊技機において、前記カバー側係止リブは、前記側壁部及び前記フランジ部の一方から離れるにつれて側壁部及びフランジ部の他方へ近づく角度で傾斜する斜面であるカバー側斜面を有している。
このような構成であれば、ハーネスカバーを移動させて、カバー側係止リブが裏箱側係止リブを乗り越える際に、カバー側係止リブが、カバー側斜面の傾斜に沿って裏箱側係止リブを乗り越えることが可能となる。
これにより、ハーネスカバーを側壁部及びフランジ部の一方へ近づく方向へ移動させる際に、カバー側係止リブを持ち上げなくとも、カバー側係止リブを、カバー側斜面の傾斜に沿ってハーネスカバーを側壁部及びフランジ部の一方へ近づく方向へ移動させながら、裏箱側係止リブを乗り越えさせることが可能となる。
【００１６】
〔発明９〕  発明９の遊技機用ハーネスカバーは、前記カバー閉止状態にて前記側壁部又は前記フランジ部と対向する板状の第一板部と、当該第一板部と連続した板状の第二板部と、を備えている。
そして、前記第一板部は、前記カバー閉止状態にて前記爪係止用開口部と係合するカバー側爪部を備えている。また、前記第二板部は、前記カバー取り付け基部と回転可能に嵌合するボス部材嵌合部を備えている。さらに、前記カバー側爪部は、前記爪係止用開口部を通過可能な弾性を有している。
【００１７】
このような構成であれば、ハーネスカバーを移動させる際には、カバー取り付け基部と嵌合しているボス部材嵌合部を軸にハーネスカバーを回転させて、カバー側爪部を、弾性変形させながら爪係止用開口部を通過させる。
これにより、ハーネスカバーの閉止時に、カバー側爪部に加わる応力を低減させることが可能となり、裏箱が備えるハーネスカバーの損傷を抑制することが可能となる。
【発明の効果】
【００１８】
本発明によれば、裏箱の外側において、配線をハーネスカバーで保持することにより、裏箱の内部において配線が占める領域を減少可能であるとともに、裏箱の外側で配線を保持するハーネスカバーの損傷を抑制することが可能となる。
【図面の簡単な説明】
【００１９】
【図１】遊技機の全体構成を示す斜視図である。
【図２】遊技盤面の構成を示す正面図である。
【図３】裏箱と、カバー閉止状態のハーネスカバーを、遊技盤の裏側から見た図である。
【図４】図３のＩＶ線矢視図である。
【図５】図３中に示した裏箱及びハーネスカバーのうち、ハーネスカバーのみを示す図である。
【図６】図４中に示したハーネスカバーを側壁部の方向から見た図である。
【図７】図６のＶＩＩ線矢視図である。
【図８】図６のＶＩＩＩ線矢視図である。
【図９】図５のＩＸ‐ＩＸ線断面図である。
【図１０】図４中に円Ｘで囲んだ範囲の斜視図である。
【図１１】図１０のＸＩ線矢視図である。
【図１２】図３のＸＩＩ‐ＸＩＩ線断面図である。
【図１３】図３のＸＩＩＩ‐ＸＩＩＩ線断面図である。
【図１４】図３のＸＩＶ‐ＸＩＶ線断面図である。
【図１５】図１２中に円ＸＶで囲んだ範囲の拡大図である。
【図１６】遊技機の内部構成を示すブロック図である。
【図１７】本発明の第一実施形態の変形例を示す図である。
【発明を実施するための形態】
【００２０】
（第一実施形態）
以下、本発明の第一実施形態（以下、「本実施形態」と記載する）について、図面を参照しつつ説明する。
【００２１】
（遊技機の全体構成）
まず、図１を用いて、本実施形態の遊技機の全体構成を説明する。
図１は、本実施形態の遊技機１の概略構成を示す図であり、遊技機１の斜視図である。
図１中に示すように、遊技機１は、枠本体２と、前枠４と、前扉６と、受皿ユニット８と、発射ハンドル１０を備えている。
枠本体２は、木材等を材料として用い、矩形状に形成されている。
前枠４は、枠本体２の前側に配設されており、枠本体２に対して開閉可能に取付けられている。また、前枠４の前側には、遊技盤（図示せず）が配設されている。
【００２２】
遊技盤は、その表側に、遊技盤面（図示せず）が設けられている。なお、遊技盤に関する詳細な説明は、後述する。
また、枠本体２内において、遊技盤の裏側には、裏箱（図示せず）が配置されており、この裏箱には、ナイロン等、弾性を有する材料を用いて形成されたハーネスカバー（図示せず）が取り付けられている。なお、裏箱及びハーネスカバーに関する詳細な説明は、後述する。
前扉６は、前枠４の前側上部に配設されており、前枠４に対して開閉可能に取付けられている。また、前扉６は、透明板６ａと、装飾部６ｂを有している。
【００２３】
透明板６ａは、遊技盤の前側に対応する位置に配設されている。
装飾部６ｂは、透明板６ａの周囲に配設されており、前方に向かって膨出する形状に形成されている。また、装飾部６ｂには、複数の音抜孔６ｃが設けられている。
複数の音抜孔６ｃは、装飾部６ｂの内部に配設されたスピーカ（図示せず）が出力する音声を、外部へ放出可能な位置に形成されている。なお、スピーカに関する説明は、後述する。
受皿ユニット８は、受皿８ａと、演出操作装置８ｂを有している。
受皿８ａは、前扉６の下方に配設されており、遊技球（貸し球、払出球）を受け入れ可能に形成されている。
【００２４】
演出操作装置８ｂは、受皿８ａの前側に配設されており、遊技者による回転操作に応じて回転駆動するロータリースイッチ（ジョグダイヤル）部と、遊技者による押し込み操作に応じて押下されるプッシュボタン部を備えている。そして、演出操作装置８ｂは、遊技者によりロータリースイッチ部の回転操作及びプッシュボタン部の押し込み操作が行われると、これらの操作量に応じた操作信号を、演出制御装置（図示せず）に出力する。なお、演出制御装置に関する説明は、後述する。
発射ハンドル１０は、受皿ユニット８の側方に配設されており、図示しない発射装置に接続されている。発射装置は、遊技者によって発射ハンドル１０の操作が行われると、遊技盤面上に、遊技球を発射する。
【００２５】
（遊技盤面の構成）
次に、図１を参照しつつ、図２を用いて、遊技盤が有する遊技盤面の構成を説明する。
図２は、遊技盤１００が有する遊技盤面１０２の構成を示す正面図である。
図２中に示すように、遊技盤面１０２には、演出図柄表示装置１０４と、普通図柄始動ゲート１０６と、始動入賞装置１０８と、第一特別図柄表示装置１１０ａと、第二特別図柄表示装置１１０ｂと、普通図柄表示装置１１２と、遊技状態表示装置１１４と、大入賞口１１６と、アウト口１１８と、電動役物１２０と、複数の釘（図示せず）が設けられている。
【００２６】
演出図柄表示装置１０４は、液晶ディスプレイ等を用いて形成されており、遊技盤面１０２の略中央部に配置されている。
また、演出図柄表示装置１０４は、演出画像を表示することが可能な、第一の表示領域Ｒ１と、第二の表示領域Ｒ２と、第三の表示領域Ｒ３を有している。
第一の表示領域Ｒ１、第二の表示領域Ｒ２、第三の表示領域Ｒ３は、それぞれにおいて、独立して演出図柄（図示せず）の変動表示及び停止表示を行うことが可能である。なお、演出図柄は、数字及び図柄を含んで構成されている。
【００２７】
ここで、演出図柄の変動表示とは、第一の表示領域Ｒ１と、第二の表示領域Ｒ２と、第三の表示領域Ｒ３のそれぞれにおいて、複数種類の演出図柄を、スクロールさせた状態で表示することである。
一方、演出図柄の停止表示とは、第一の表示領域Ｒ１と、第二の表示領域Ｒ２と、第三の表示領域Ｒ３のそれぞれにおいて、演出図柄を停止させた状態で表示することである。
【００２８】
以上により、演出図柄表示装置１０４では、第一の表示領域Ｒ１と、第二の表示領域Ｒ２及び第三の表示領域Ｒ３で停止表示された演出図柄の組み合わせによって、各種抽選（特別図柄抽選、普通図柄抽選）の抽選結果を表示する。ここで、特別図柄抽選とは、遊技者に有利な遊技状態である特別遊技状態を発生させるか否かの抽選である。また、普通図柄抽選とは、後述する第二始動入賞口１０８ｂを開放状態にするか否かの抽選である。
普通図柄始動ゲート１０６は、演出図柄表示装置１０４の左側に配置されており、遊技球が常時通過可能に形成されている。
【００２９】
また、普通図柄始動ゲート１０６には、始動ゲートスイッチ（図示せず）が配設されている。なお、始動ゲートスイッチに関する説明は、後述する。
始動入賞装置１０８は、演出図柄表示装置１０４の下方に配置されており、第一始動入賞口１０８ａと、第二始動入賞口１０８ｂを有している。
第一始動入賞口１０８ａは、上流側から流下してくる遊技球が、常時、入球可能に遊技盤面１０２上へ形成された入賞口（いわゆるヘソ）である。
また、第一始動入賞口１０８ａには、第一始動入賞口スイッチ（図示せず）が配設されている。なお、第一始動入賞口スイッチに関する説明は、後述する。
【００３０】
なお、本実施形態において、入賞口に遊技球が入球するとは、遊技球が入賞口を通過すると共に、遊技球の通過を検出するスイッチが設けられた領域を、遊技球が通過することと同義である。
すなわち、例えば、第一始動入賞口１０８ａの場合は、遊技球が第一始動入賞口１０８ａを通過すると共に、第一始動入賞口スイッチが設けられた領域を、遊技球が通過することと同義である。このことは、以下に説明する「第二始動入賞口１０８ｂ、大入賞口１１６」についても同様である。
【００３１】
第二始動入賞口１０８ｂは、第一始動入賞口１０８ａの下側に設けられており、遊技盤面１０２に形成された入賞口と、この入賞口への遊技球の入球確率を変更することが可能な電動チューリップ等の開閉部材を備えている。
また、第二始動入賞口１０８ｂには、第二始動入賞口スイッチ（図示せず）が配設されている。なお、第二始動入賞口スイッチに関する説明は、後述する。
開閉部材は、始動入賞口ソレノイド（図示せず）によって、遊技盤面１０２の板厚方向に延材する軸回りに回転駆動して開閉動作を行う。なお、図２中には、開閉部材の開放状態を図示している。また、始動入賞口ソレノイドに関する説明は、後述する。
【００３２】
また、第二始動入賞口１０８ｂは、通常時には開閉部材が閉止状態となり、遊技球の入球が不可能となっているが、後述するように、普通図柄抽選に当選した場合には、開閉部材が所定パターンで開放状態となり、遊技球の入球が可能となる。
第一特別図柄表示装置１１０ａは、７セグメントＬＥＤ、ドットマトリクスＬＥＤ等によって構成された、特別図柄の変動表示及び停止表示を行うことが可能な装置であり、始動入賞装置１０８の右側に配置されている。
【００３３】
また、第一特別図柄表示装置１１０ａは、数字や図柄等からなる特別図柄の変動表示及び停止表示を行う機能を有しており、停止表示された特別図柄によって、第一始動入賞口１０８ａへの遊技球の入球を契機として行われた特別図柄抽選の結果を表示する。
第二特別図柄表示装置１１０ｂは、第一特別図柄表示装置１１０ａと同様、７セグメントＬＥＤ、ドットマトリクスＬＥＤ等によって構成された、特別図柄の変動表示及び停止表示を行うことが可能な装置であり、第一特別図柄表示装置１１０ａの右側に配置されている。
【００３４】
また、第二特別図柄表示装置１１０ｂは、数字や図柄等からなる特別図柄の変動表示及び停止表示を行う機能を有しており、停止表示された特別図柄によって、第二始動入賞口１０８ｂへの遊技球の入球を契機として行われた特別図柄抽選の結果を表示する。
ここで、第一特別図柄表示装置１１０ａ及び第二特別図柄表示装置１１０ｂにおいて停止表示された特別図柄が特定の図柄となって発生する遊技状態を「特別遊技状態（大当たり遊技状態）」という。特別遊技状態とは、大入賞口１１６を開放状態にする等、遊技者に対して所定の遊技価値を付与する有利な遊技状態をいう。
【００３５】
普通図柄表示装置１１２は、７セグメントＬＥＤ、ドットマトリクスＬＥＤ等によって構成された、普通図柄の変動表示及び停止表示を行うことが可能な装置であり、第二特別図柄表示装置１１０ｂの右側に配置されている。
また、普通図柄表示装置１１２は、数字や図柄等からなる普通図柄の変動表示及び停止表示を行う機能を有しており、停止表示された普通図柄によって、普通図柄抽選の結果を表示する。
【００３６】
遊技状態表示装置１１４は、ＬＥＤ等によって構成された、遊技機１の遊技状態を表示する装置であり、第二特別図柄表示装置１１０ｂ及び普通図柄表示装置１１２の上方に配置されている。
また、遊技状態表示装置１１４には、連続して特別図柄の変動表示を行うことが可能な回数と、連続して演出図柄の変動表示を行うことが可能な回数、特別遊技状態のラウンド数、時短状態の発生状態等が表示される。
【００３７】
大入賞口１１６は、始動入賞装置１０８の下方に配置されている。
また、大入賞口１１６内には、大入賞口スイッチ（図示せず）が配設されている。なお、大入賞口スイッチに関する説明は、後述する。
また、大入賞口１１６は、大入賞口ソレノイド（図示せず）によって開閉される板状の開閉部材（図示せず）を備えている。なお、図２中には、開放状態の大入賞口１１６を図示している。また、大入賞口ソレノイドに関する説明は、後述する。
【００３８】
また、大入賞口１１６は、通常時には、開閉部材が閉止状態となり遊技球の入球が不可能となっているが、特賞状態が発生された場合には、開閉部材が所定パターンで開放状態となり、遊技球の入球が可能となる。
アウト口１１８は、遊技盤面１０２の最下部に配置されており、正面向きに開口している。また、アウト口１１８は、いずれの入賞口にも入賞しなかった遊技球を回収する。
【００３９】
電動役物１２０は、演出図柄表示装置１０４の上方に配置されている。
また、電動役物１２０には、モータ（図示せず）及びランプ（図示せず）が配設されている。そして、電動役物１２０は、作動状態となった際、モータにより所定パターンで揺動するとともに、ランプにより所定パターンで発光する。
複数の釘は、遊技盤面１０２上において、普通図柄始動ゲート１０６、始動入賞装置１０８、大入賞口１１６等に向かって遊技球が誘導されるように配置されている。
【００４０】
（裏箱及びハーネスカバーの構成）
次に、図１及び図２を参照しつつ、図３から図１５を用いて、裏箱及びハーネスカバーの構成を説明する。
図３は、裏箱１３０と、カバー閉止状態のハーネスカバー２００を、遊技盤１００の裏側（遊技盤面１０２が設けられている面と反対側）から見た図であり、図４は、図３のＩＶ線矢視図である。ここで、「カバー閉止状態」とは、裏箱１３０のうち、凹部を囲む側面部とハーネスカバー２００との間に空間を形成した状態である。また、凹部及び側面部の説明は、後述する。
【００４１】
図３及び図４中に示すように、裏箱１３０は、四つの側面部１３２と、一つの背面部１３４を組み合わせて形成されており、一つの面（背面部１３４と対向する部分）が開口して凹部（図示せず）を有する箱状に形成されている。さらに、裏箱１３０が有する凹部内には、遊技盤１００が、遊技盤面１０２が設けられている面以外の面を裏箱１３０の面で覆うように収容されている。すなわち、裏箱１３０は、遊技盤１００のうち遊技盤面１０２以外の面を覆う状態で、遊技盤１００を収容している。なお、図３の上下方向は、図２の上下方向と同一である。
【００４２】
各側面部１３２は、互いに直交して四辺形の枠を形成し、凹部と対向する側壁部１３２ａと、凹部の外側で側壁部１３２ａから突出し、且つ凹部から離れる方向に延材するフランジ部１３２ｂを備えている。
背面部１３４は、四つの側壁部１３２ａを組み合わせて形成された四辺形の枠のうち、一方の開口部を閉塞している。
また、裏箱１３０は、カバー取り付け基部１３６と、裏箱側係止リブ１３８と、爪係止用開口部１４０と、配線配置用開口部１４２を備えている。
【００４３】
カバー取り付け基部１３６は、一つのフランジ部１３２ｂにおいて、遊技盤面１０２と反対側の面（裏面）上に形成されており、フランジ部１３２ｂから側壁部１３２ａの厚さ方向と交差する方向へ突出する円筒状に形成されている。したがって、カバー取り付け基部１３６は、円筒の中心軸を通過する孔である基部側孔部１４４を有している。なお、カバー取り付け基部１３６を形成するフランジ部１３２ｂは、例えば、配線（図示せず）の構成に応じて設定する。
裏箱側係止リブ１３８は、カバー取り付け基部１３６を形成したものと同じフランジ部１３２ｂにおいて、遊技盤面１０２と反対側の面（裏面）上に形成されており、カバー取り付け基部１３６と同じ方向へ突出している。なお、裏箱側係止リブ１３８の具体的な構成については、後述する。
【００４４】
爪係止用開口部１４０は、カバー取り付け基部１３６及び裏箱側係止リブ１３８を形成したフランジ部１３２ｂと、このフランジ部１３２ｂから突出する側壁部１３２ａとを連続して形成された開口部である。具体的には、爪係止用開口部１４０のうち、カバー側爪部２１８が係合する部分は、フランジ部１３２ｂに形成されている。すなわち、爪係止用開口部１４０は、フランジ部１３２ｂの、カバー取り付け基部１３６が突出する方向とは異なる位置に開口している。なお、爪係止用開口部１４０は、カバー取り付け基部１３６及び裏箱側係止リブ１３８を形成したフランジ部１３２ｂのみに形成してもよい。また、爪係止用開口部１４０の具体的な構成については、後述する。
【００４５】
配線配置用開口部１４２は、遊技機１の構成に応じて、カバー取り付け基部１３６及び裏箱側係止リブ１３８を形成したフランジ部１３２ｂに形成されている。
なお、本実施形態では、一例として、フランジ部１３２ｂに二箇所の配線配置用開口部１４２を形成した場合を説明する。
また、本実施形態では、一例として、二箇所の配線配置用開口部１４２のうち一方を、フランジ部１３２ｂの厚さ方向から見てハーネスカバー２００と重ならない位置に形成し、二箇所の配線配置用開口部１４２のうち他方を、フランジ部１３２ｂの厚さ方向から見てハーネスカバー２００と重なる位置に形成した場合を説明する。
【００４６】
図５は、図３中に示した裏箱１３０及びハーネスカバー２００のうち、ハーネスカバー２００のみを示す図であり、図６は、図４中に示したハーネスカバー２００を、側壁部１３２ａの方向から見た図である。また、図７は、図６のＶＩＩ線矢視図であり、図８は、図６のＶＩＩＩ線矢視図、図９は、図５のＩＸ‐ＩＸ線断面図である。
図５から図９中に示すように、ハーネスカバー２００は、三枚の板状部材（側面形成板部２０２、上辺形成板部２０４、リブ形成板部２０６）を組み合わせて、断面コの字型に形成されている。また、ハーネスカバー２００は、剛性低下部２０８を備えている。なお、ハーネスカバー２００は、例えば、射出成型により形成する。
【００４７】
側面形成板部２０２は、長方形の板状部材であり、カバー閉止状態にて、側壁部１３２ａと対向している。
また、側面形成板部２０２には、ボス部材嵌合部２１０と、カバー側係止リブ２１２が設けられている。
ボス部材嵌合部２１０は、円筒状に形成されており、側面形成板部２０２の一方の端部において、円筒の外径面が、側面形成板部２０２の短辺及びリブ形成板部２０６の一部と連続するように設けられている。
【００４８】
カバー側係止リブ２１２は、二枚の板状部材（縦板部２１２ａ、横板部２１２ｂ）をＬ字型に組み合わせた形状に形成されており、側面形成板部２０２の他方の端部に設けられている。
縦板部２１２ａは、側面形成板部２０２と平行に配置されており、カバー閉止状態でフランジ部１３２ｂと近接して対向する一つの辺が、リブ形成板部２０６の一部と連続している。
【００４９】
また、縦板部２１２ａは、カバー閉止状態で、側面形成板部２０２よりも側壁部１３２ａに近接する位置に配置されている。
また、縦板部２１２ａのうち、カバー閉止状態でフランジ部１３２ｂと近接して対向する辺と、カバー閉止状態で側壁部１３２ａと対向する面との間には、面取り加工等を用いて斜面（以降の説明及び図中では、「カバー側斜面２１２ｃ」と記載する場合がある）が形成されている。
【００５０】
カバー側斜面２１２ｃは、側面形成板部２０２の長さ方向から見て、側壁部１３２ａから離れるにつれてフランジ部１３２ｂへ近づく角度で傾斜する斜面である。すなわち、カバー側係止リブ２１２は、側壁部１３２ａから離れるにつれてフランジ部１３２ｂへ近づく角度で傾斜する斜面であるカバー側斜面２１２ｃを有している。
本実施形態では、一例として、カバー側斜面２１２ｃの傾斜を、フランジ部１３２ｂの面に対して４５［°］に設定した場合について説明する。
【００５１】
横板部２１２ｂは、カバー閉止状態で縦板部２１２ａよりもフランジ部１３２ｂから離れた位置に配置されており、縦板部２１２ａのうちフランジ部１３２ｂから遠い辺と直交した状態で、側面形成板部２０２の短辺と連続している。
また、横板部２１２ｂは、カバー閉止状態で、縦板部２１２ａよりも側壁部１３２ａから離れる方向へ突出している。
【００５２】
上辺形成板部２０４は、側面形成板部２０２と同様、長方形の板状部材であり、側面形成板部２０２のうちフランジ部１３２ｂから遠い側の長辺と連続している。また、上辺形成板部２０４は、カバー閉止状態で、フランジ部１３２ｂと対向している。なお、本実施形態では、一例として、側面形成板部２０２と上辺形成板部２０４が、互いに直交している場合を説明する。
【００５３】
すなわち、カバー閉止状態では、上辺形成板部２０４及び側面形成板部２０２と、側壁部１３２ａ及びフランジ部１３２ｂとの間に、空間が形成されている。この空間は、配線を収容して保持可能な空間を形成している。
また、上辺形成板部２０４は、幅広部２１４と、幅狭部２１６と、カバー側爪部２１８と、爪部側切り欠き部２２０と、端部側切り欠き部２２２を備えている。
【００５４】
幅広部２１４は、上辺形成板部２０４の一方の端部側を形成している。
また、幅広部２１４の一方の端部は、側面形成板部２０２のうちボス部材嵌合部２１０が設けられている端部と連続している。なお、本実施形態では、一例として、幅広部２１４の一方の端部が、側面形成板部２０２のうちボス部材嵌合部２１０が設けられている端部と、互いに直交している場合を説明する。
幅狭部２１６は、上辺形成板部２０４の他方の端部側を形成している。
【００５５】
また、幅狭部２１６の他方の端部は、側面形成板部２０２のうちカバー側係止リブ２１２が設けられている側の端部と連続している。なお、本実施形態では、一例として、幅広部２１４の他方の端部が、側面形成板部２０２のうちカバー側係止リブ２１２が設けられている側の端部と、互いに直交している場合を説明する。
また、幅狭部２１６の幅Ｗ１は、幅広部２１４の幅Ｗ２未満となっている。すなわち、幅狭部２１６の幅Ｗ１と幅広部２１４の幅Ｗ２との関係は、以下の式（１）で示す関係となっている。
Ｗ１＜Ｗ２  …  （１）
【００５６】
カバー側爪部２１８は、幅広部２１４と幅狭部２１６との間に形成されており、爪用平板部２１８ａと、爪用突出部２１８ｂを備えている。
爪用平板部２１８ａは、幅広部２１４及び幅狭部２１６と平行となっており、その幅Ｗ３は、幅広部２１４の幅Ｗ２よりも大きい。
また、爪用平板部２１８ａは、カバー閉止状態で爪係止用開口部１４０内に配置されている。
【００５７】
また、爪用平板部２１８ａは、爪用突出部２１８ｂが側壁部１３２ａと接触しながら爪係止用開口部１４０を通過可能な弾性を有している。なお、爪用平板部２１８ａが有する弾性に関する具体的な説明は、後述する。
爪用突出部２１８ｂは、爪用平板部２１８ａのうち、フランジ部１３２ｂと対向する面と反対の面に形成されている。
また、爪用突出部２１８ｂは、カバー閉止状態で、裏箱１３０が有する凹部内に配置されて、側壁部１３２ａと対向している。
【００５８】
爪部側切り欠き部２２０は、カバー側爪部２１８の両側、具体的には、幅広部２１４とカバー側爪部２１８との間と、幅狭部２１６とカバー側爪部２１８との間に形成されている。また、幅広部２１４とカバー側爪部２１８との間に形成されている爪部側切り欠き部２２０（図中では、２２０ａ）と示す）は、幅広部２１４とカバー側爪部２１８との間の幅がＷ２未満の幅となるように、上辺形成板部２０４の一部を切り欠いた形状に形成されている。また、幅狭部２１６とカバー側爪部２１８との間に形成されている爪部側切り欠き部２２０（図中では、２２０ｂ）と示す）は、幅狭部２１６とカバー側爪部２１８との間の幅がＷ１未満の幅となるように、上辺形成板部２０４の一部を切り欠いた形状に形成されている。
【００５９】
なお、爪部側切り欠き部２２０（２２０ａ，２２０ｂ）の形状（開口形状、開口面積）に関する詳細な説明は、後述する。
端部側切り欠き部２２２は、幅広部２１４の一方の端部と側面形成板部２０２と連続する長辺と反対側の長辺とを連続して切り欠いた形状に形成されている。
本実施形態では、一例として、端部側切り欠き部２２２の構成を、幅広部２１４の一方の端部に対して４５［°］の角度で傾斜している構成とした場合について説明する。
【００６０】
リブ形成板部２０６は、側面形成板部２０２及び上辺形成板部２０４と同様、長方形の板状部材であり、側面形成板部２０２のうちフランジ部１３２ｂに近い側の長辺と連続している。
したがって、ハーネスカバー２００は、一辺が開口した長尺の筒状に形成されている。
また、リブ形成板部２０６は、カバー閉止状態で、上辺形成板部２０４よりもフランジ部１３２ｂと近接して対向している。なお、本実施形態では、一例として、側面形成板部２０２とリブ形成板部２０６が、互いに直交している場合を説明する。
【００６１】
また、リブ形成板部２０６の一方の端部は、ボス部材嵌合部２１０の外径面と連続している。一方、リブ形成板部２０６の他方の端部は、縦板部２１２ａの一部と連続している。
また、リブ形成板部２０６の幅（一対の長辺間の長さ）は、幅狭部２１６の幅Ｗ１未満となっている。
ここで、リブ形成板部２０６の幅は、例えば、ハーネスカバー２００に要求される弾性に基づき、例えば、リブ形成板部２０６の厚さやハーネスカバー２００の材料に応じて設定する。
【００６２】
剛性低下部２０８は、側面形成板部２０２と幅広部２１４が連続している部分のうち、幅広部２１４の両端部間に形成されている。
本実施形態では、一例として、剛性低下部２０８を、側面形成板部２０２と幅広部２１４が連続している部分を、側面形成板部２０２の長辺に沿って連続して切り欠いたスリット２２４により形成した場合について説明する。
これにより、本実施形態では、ハーネスカバー２００の構成を、側面形成板部２０２の長さ方向（長辺の長さ方向、以降の記載も同様）に沿って、剛性低下部２０８が形成されていない通常剛性部２００Ｎと、剛性低下部２０８が形成されており通常剛性部２００Ｎよりも剛性の低い低剛性部２００Ｌに区分した構成としている（図５参照）。
【００６３】
すなわち、剛性低下部２０８は、爪用平板部２１８ａとボス部材嵌合部２１０との間における予め設定した部分（低剛性部２００Ｌ）の剛性を、爪用平板部２１８ａとボス部材嵌合部２１０との間における他の部分（通常剛性部２００Ｎ）の剛性よりも低下させる。
図１０は、図４中に円Ｘで囲んだ範囲の斜視図であり、図１１は、図１０のＸＩ線矢視図である。また、図１２は、図３のＸＩＩ‐ＸＩＩ線断面図であり、図１３は、図３のＸＩＩＩ‐ＸＩＩＩ線断面図、図１４は、図３のＸＩＶ‐ＸＩＶ線断面図である。
【００６４】
図１０から図１４中に示すように、ハーネスカバー２００は、ボス部材嵌合部２１０がカバー取り付け基部１３６と回転可能に嵌合し、縦板部２１２ａが裏箱側係止リブ１３８よりも側壁部１３２ａ側に配置され、爪用突出部２１８ｂが裏箱１３０の有する凹部内で側壁部１３２ａと対向している状態で、カバー閉止状態となっている。すなわち、カバー側係止リブ２１２は、カバー閉止状態で側壁部１３２ａと裏箱側係止リブ１３８との間に配置される。なお、図１０中には、ハーネスカバー２００の回転方向を、双方向矢印で示している。
【００６５】
具体的には、ボス部材嵌合部２１０は、その内径面と、カバー取り付け基部１３６の外径面とを対向させた状態で、カバー取り付け基部１３６に対し、フランジ部１３２ｂを貫通する軸であるボス部材嵌合部２１０の中心軸を回転軸として、回転可能に嵌合している。
また、ボス部材嵌合部２１０は、例えば、図１５中に示すように、カバー取付けビス２２６を用いて、カバー取り付け基部１３６に嵌合している。なお、図１５は、図１２中に円ＸＶで囲んだ範囲の拡大図である。また、図１５中には、他の図中では図示を省略しているカバー取付けビス２２６を図示している。また、図１５中では、説明のために、ボス部材嵌合部２１０を除くハーネスカバー２００の図示を省略している。
【００６６】
カバー取付けビス２２６は、ビス軸部２２８と、ビス頭部２３０を備えている。
ビス軸部２２８は、外径面にネジ山（図示せず）が設けられており、円筒状に形成されているカバー取り付け基部１３６が有する基部側孔部１４４内に、先端側から挿入されている。
ビス頭部２３０は、ビス軸部２２８の基端側でビス軸部２２８と連続して設けられており、円板状に形成されている。
【００６７】
ここで、円板状に形成されているビス頭部２３０の外径は、円筒状に形成されているカバー取り付け基部１３６の外径よりも大きく形成されている。これにより、カバー取付けビス２２６は、カバー取り付け基部１３６に対するボス部材嵌合部２１０の抜け止めとして機能する。
また、図１５中に示すように、ボス部材嵌合部２１０及びカバー取り付け基部１３６は、ボス部材嵌合部２１０の高さ（フランジ部１３２ｂの面からの高さ）が、カバー取り付け基部１３６の高さ（フランジ部１３２ｂの面からの高さ）よりも低くなるように形成されている。
【００６８】
したがって、図１５中に示すように、ビス頭部２３０をカバー取り付け基部１３６と接触させた状態では、ボス部材嵌合部２１０とビス頭部２３０との間に、側面形成板部２０２の幅方向（長辺間の長さ方向）に沿った隙間Ｃが形成される。
なお、隙間Ｃは、射出成型により製造するハーネスカバー２００の、個体毎の製造誤差を考慮して、例えば、０．５［ｍｍ］程度に設定する。これにより、ボス部材嵌合部２１０をカバー取り付け基部１３６に嵌合させる際に、ハーネスカバー２００の製造誤差を隙間Ｃで吸収して、ハーネスカバー２００の製造に関し、歩留まりの悪化を抑制することが可能となる。
【００６９】
ここで、裏箱側係止リブ１３８の具体的な構成について説明する。
図１１及び図１４中に示すように、裏箱側係止リブ１３８は、フランジ部１３２ｂのうち、側壁部１３２ａから離間した位置に形成されている。
また、裏箱側係止リブ１３８は、係止リブ斜面１３８ａを有する三角形の形状に形成されている。
係止リブ斜面１３８ａは、側面形成板部２０２の長さ方向から見て、側壁部１３２ａから離れるにつれてフランジ部１３２ｂ側へ近づく角度で傾斜する斜面である。
本実施形態では、一例として、係止リブ斜面１３８ａの傾斜を、フランジ部１３２ｂの面に対して４５［°］に設定した場合について説明する。
【００７０】
次に、爪係止用開口部１４０の具体的な構成について説明する。
図１０から図１３中に示すように、爪係止用開口部１４０のうち、側壁部１３２ａに形成された部分は、側面形成板部２０２の幅方向（長辺間の長さ方向）に沿った長さが、側面形成板部２０２の幅（長辺間の長さ）と等しくなるように形成されている。
また、爪係止用開口部１４０のうち、フランジ部１３２ｂに形成された部分は、例えば、遊技機１の構成に応じて、配線を通過させるために適切な形状に形成されている。
【００７１】
（爪部側切り欠き部２２０の形状）
次に、図１から図１５を参照して、爪部側切り欠き部２２０（２２０ａ，２２０ｂ）の形状（開口形状、開口面積）を説明する。
爪部側切り欠き部２２０の形状は、爪用平板部２１８ａが、以下に示す条件（Ａ）〜（Ｃ）を満足する弾性を有する形状に設定する。
【００７２】
・条件（Ａ）
カバー閉止状態で、カバー側係止リブ２１２をフランジ部１３２ｂから離れる方向へ移動させ（持ち上げ）て、縦板部２１２ａが裏箱側係止リブ１３８を乗り越えて側壁部１３２ａから離れる方向へ移動可能な弾性。
・条件（Ｂ）
縦板部２１２ａが裏箱側係止リブ１３８を乗り越えて側壁部１３２ａから離れる方向へ移動する際に、裏箱１３０が有する凹部内で側壁部１３２ａと対向している爪用突出部２１８ｂが、爪係止用開口部１４０内で側壁部１３２ａと接触しながらフランジ部１３２ｂ側へ移動して、爪係止用開口部１４０を通過して側壁部１３２ａから離れる方向へ移動可能な弾性。
【００７３】
・条件（Ｃ）
縦板部２１２ａが裏箱側係止リブ１３８を乗り越えて側壁部１３２ａへ近づく方向へ移動する際に、裏箱１３０が有する凹部の外側で側壁部１３２ａと接触している爪用突出部２１８ｂが、爪係止用開口部１４０内で側壁部１３２ａと接触しながら凹部内へ移動し、爪係止用開口部１４０を通過し、凹部内で側壁部１３２ａと対向する位置まで移動可能な弾性。
【００７４】
すなわち、上辺形成板部２０４が備える爪部側切り欠き部２２０（２２０ａ，２２０ｂ）は、爪用突出部２１８ｂが側壁部１３２ａと接触しながら爪係止用開口部１４０を通過可能な弾性を爪用平板部２１８ａに付与するように、上辺形成板部２０４を切り欠いて形成されている。
なお、爪部側切り欠き部２２０の形状を、爪用平板部２１８ａが、上述した条件（Ａ）〜（Ｃ）を満足する弾性を有する形状に設定する際には、例えば、ハーネスカバー２００の材料や、裏箱側係止リブ１３８の高さ（フランジ部１３２ｂからの高さ）、爪用平板部２１８ａの厚さ、爪用突出部２１８ｂの形状（爪用平板部２１８ａからの高さ、外面の傾斜度合い）等を参照する。
【００７５】
（制御系の構成）
次に、図１から図１５を参照しつつ、図１６を用いて、遊技機１の内部構成を説明する。
図１６は、遊技機１の内部構成を示すブロック図である。
図１６中に示すように、遊技機１は、第一始動入賞口スイッチ１５０ａと、第二始動入賞口スイッチ１５０ｂと、大入賞口スイッチ１５２と、始動ゲートスイッチ１５４を備えている。
第一始動入賞口スイッチ１５０ａは、第一始動入賞口１０８ａへの遊技球の通過を検出すると、この検出を含む情報信号を、後述する主制御装置３００に出力する。
【００７６】
第二始動入賞口スイッチ１５０ｂは、第二始動入賞口１０８ｂへの遊技球の通過を検出すると、この検出を含む情報信号を、主制御装置３００に出力する。
大入賞口スイッチ１５２は、大入賞口１１６への遊技球の入球を検出すると、この検出を含む情報信号を、主制御装置３００に送信する。
始動ゲートスイッチ１５４は、普通図柄始動ゲート１０６への遊技球の通過を検出すると、この検出を含む情報信号を、主制御装置３００に出力する。
【００７７】
また、遊技機１は、図１６中に示すように、制御部として、主制御装置３００と、演出制御装置４００と、表示制御装置５００と、ランプ制御装置５０２と、効果音制御装置５０４と、役物制御装置５０６を備えている。
主制御装置３００と演出制御装置４００は、不正行為防止等のため、それぞれ、別々の基板に実装されている。また、主制御装置３００と演出制御装置４００との間では、主制御装置３００から演出制御装置４００への一方向にのみ、データの送信が可能となっている。
【００７８】
また、主制御装置３００及び演出制御装置４００は、配線（図示せず）により、遊技盤面上に配置されている表側動作部と接続されている。表側動作部は、制御装置（主制御装置３００及び演出制御装置４００）から配線を介して入力された制御信号に応じて動作する。
主制御装置３００は、主制御側入力ポート３０２と、主制御側出力ポート３０４と、主制御側ＣＰＵ３０６を備えている。
【００７９】
主制御側入力ポート３０２は、第一始動入賞口スイッチ１５０ａ、第二始動入賞口スイッチ１５０ｂ、大入賞口スイッチ１５２、始動ゲートスイッチ１５４からそれぞれ出力された情報信号を、主制御側ＣＰＵ３０６に出力する。
主制御側出力ポート３０４は、演出制御装置４００、第一特別図柄表示装置１１０ａ、第二特別図柄表示装置１１０ｂ、普通図柄表示装置１１２、遊技状態表示装置１１４、賞球払出制御装置５０８、始動入賞口ソレノイド５１０及び大入賞口ソレノイド５１２のそれぞれに、制御コマンドや制御信号を出力する。なお、図１６中では、第一特別図柄表示装置１１０ａと第二特別図柄表示装置１１０ｂを、まとめて、「特別図柄表示装置１１０」と示している。
【００８０】
また、主制御側出力ポート３０４は、遊技機１の出玉情報や異常を示す情報信号を、ホールコンピュータ５１４に出力する。
主制御側ＣＰＵ３０６は、マイクロプロセッシングユニット等から形成されており、主制御側ＲＯＭ３０８と、主制御側ＲＡＭ３１０を備えている。主制御側ＣＰＵ３０６には、主制御装置３００へ電源供給を行うための電源回路３１２が接続されている。
【００８１】
主制御側ＲＯＭ３０８には、主制御装置３００で実行される遊技機１を制御するためのプログラム、遊技制御用のデータ等が記憶されている。遊技制御用のデータには、演出制御装置４００を制御するための各種制御コマンド等が含まれる。
主制御側ＲＡＭ３１０は、主制御装置３００に対する入出力データ、演算処理のためのデータ、遊技に関連する乱数カウンタを始めとする各種カウンタ、抽選結果や遊技状態を管理するフラグ等を、一時的に記憶する。
【００８２】
また、主制御装置３００は、第一特別図柄表示装置１１０ａ、第二特別図柄表示装置１１０ｂ、普通図柄表示装置１１２、遊技状態表示装置１１４、賞球払出制御装置５０８、始動入賞口ソレノイド５１０、大入賞口ソレノイド５１２等を、直接制御（ポート出力制御）する。
演出制御装置４００は、演出制御側入力ポート（図示せず）と、演出制御側出力ポート（図示せず）と、演出制御側ＣＰＵ（図示せず）を備えている。
【００８３】
演出制御側ＣＰＵは、演出制御側ＲＯＭ４０２と、演出制御側ＲＡＭ４０４を備えており、演出制御側ＲＯＭ４０２に記憶されたプログラムにしたがって処理を実行することにより、表示制御装置５００、ランプ制御装置５０２、効果音制御装置５０４及び役物制御装置５０６を、それぞれ制御する。
演出制御側ＲＯＭ４０２には、演出を制御するためのプログラム、各種データ等が記憶されている。
【００８４】
演出制御側ＲＡＭ４０４には、主制御装置３００から入力された制御コマンド、演算処理を行うためのデータ等が、一時的に記憶される。
また、演出制御装置４００は、主制御装置３００から受信した制御コマンドに基づいて、実行する演出を決定する。そして、演出制御装置４００は、決定した演出に応じた演出制御コマンドを生成し、この生成した演出制御コマンドを出力することによって、表示制御装置５００、ランプ制御装置５０２、効果音制御装置５０４及び役物制御装置５０６を、それぞれ制御する。
【００８５】
表示制御装置５００は、ＲＯＭ、ＲＡＭ、ＣＰＵ、画像処理用ＶＤＰ（Ｖｉｄｅｏ  Ｄｉｓｐｌａｙ  Ｐｒｏｃｅｓｓｏｒ）、入力ポート及び出力ポートを備えている。
表示制御装置５００が備えるＲＯＭには、演出表示を行うためのプログラム、各種画像データ等が記憶されている。
表示制御装置５００が備えるＲＡＭには、表示制御装置５００が備えるＣＰＵに対する入出力データや演算処理のためのデータが一時的に記憶されている。すなわち、表示制御装置５００が備えるＲＡＭは、ワークエリアやバッファメモリとして機能する。
【００８６】
表示制御装置５００が備えるＣＰＵは、演出制御装置４００から演出制御コマンド（以下、「表示制御コマンド」と記載する場合がある）を受信すると、表示制御装置５００が備えるＲＯＭに記憶されたプログラムに従って、表示制御コマンドが指定する画像データを、表示制御装置５００が備えるＲＯＭから読み出す。そして、表示制御装置５００が備えるＲＯＭから読み出した画像データを、画像処理用ＶＤＰに出力する。
画像処理用ＶＤＰは、表示制御装置５００が備えるＣＰＵから出力された指示に従い、出力ポートを介して、演出図柄表示装置１０４に画像データを出力する。
【００８７】
ランプ制御装置５０２は、ランプ５１６の点灯、点滅、消灯等を制御する装置であり、演出制御装置４００から受信した演出制御コマンドに応じて、この受信した演出制御コマンドが指示するランプ演出に対応する制御データを、表示制御装置５００が備えるＲＯＭから読み出す。これにより、ランプ制御装置５０２は、表示制御装置５００が備えるＲＯＭから読み出した制御データに基づいて、ランプ５１６の点灯、点滅、消灯等を行う。
効果音制御装置５０４は、スピーカ５１８からの効果音の出力を制御する装置であり、演出制御装置４００から受信した演出制御コマンドに応じて、演出制御コマンドが指示する効果音演出に対応する音響データを、表示制御装置５００が備えるＲＯＭから読み出す。そして、表示制御装置５００が備えるＲＯＭから読み出した音響データを、スピーカ５１８に出力する。
【００８８】
役物制御装置５０６は、電動役物１２０の作動を制御する装置であり、演出制御装置４００から受信した演出制御コマンドに応じて、役物制御コマンドが指示する電動役物１２０の作動パターンに対応する制御データを、表示制御装置５００が備えるＲＯＭから読み出す。そして、役物制御装置５０６は、表示制御装置５００が備えるＲＯＭから読み出した制御データに基づいて、電動役物１２０を作動させる。
以上により、本実施形態では、一例として、表側動作部を、第一特別図柄表示装置１１０ａ、第二特別図柄表示装置１１０ｂ、普通図柄表示装置１１２、遊技状態表示装置１１４、始動入賞口ソレノイド５１０、大入賞口ソレノイド５１２、演出図柄表示装置１０４、ランプ５１６、スピーカ５１８、電動役物１２０とする。
【００８９】
（遊技機の組み立て手順・作用）
以下、図１から図１６を参照して、上記の構成を備えた遊技機１の組み立て手順・作用を説明する。
本実施形態では、カバー閉止状態、すなわち、ボス部材嵌合部２１０がカバー取り付け基部１３６と回転可能に嵌合し、縦板部２１２ａが裏箱側係止リブ１３８よりも側壁部１３２ａ側に配置され、爪用突出部２１８ｂが裏箱１３０の有する凹部内で側壁部１３２ａと対向している状態で、裏箱１３０が、遊技機１の組み立てを行なう製造ラインに搬送される場合について説明する。
【００９０】
上記のように、裏箱１３０をカバー閉止状態で製造ラインに搬送することにより、裏箱１３０を後述するカバー開放状態で製造ラインに搬送する場合と比較して、ハーネスカバー２００を取り付けた状態の裏箱１３０を格納する箱を小型化することが可能となるとともに、ハーネスカバー２００の損傷を抑制することが可能となる。
遊技機１を組み立てる際には、遊技盤１００のうち遊技盤面１０２以外の面を覆う状態で、裏箱１３０が有する凹部内に遊技盤１００を収容する。
【００９１】
このとき、第一特別図柄表示装置１１０ａや演出図柄表示装置１０４等の表側動作部と、制御装置（主制御装置３００及び演出制御装置４００）とを接続する複数本の配線を、裏箱１３０が有する凹部内から取り出して配線配置用開口部１４２を通過させ、裏箱１３０の外側へ取り出す。また、ハーネスカバー２００を、カバー閉止状態からカバー開放状態に移行させる。
ここで、「カバー開放状態」とは、ボス部材嵌合部２１０がカバー取り付け基部１３６に嵌合している状態で、カバー側係止リブ２１２が、裏箱側係止リブ１３８を乗り越えて側壁部１３２ａから離れる方向へ移動し、爪用突出部２１８ｂが、爪係止用開口部１４０を通過して側壁部１３２ａから離れる方向へ移動した状態である。
【００９２】
ハーネスカバー２００をカバー閉止状態からカバー開放状態に移行させる際には、製造ラインで遊技機１の組み立て作業を行なう作業者等が、例えば、横板部２１２ｂを把持しながら、縦板部２１２ａがフランジ部１３２ｂから離れる方向へ、カバー側係止リブ２１２を持ち上げる。
上述したように、本実施形態のハーネスカバー２００は、側面形成板部２０２と幅広部２１４が連続している部分を切り欠いたスリット２２４により、側面形成板部２０２の長さ方向に沿って、二箇所の通常剛性部２００Ｎと、通常剛性部２００Ｎよりも剛性の低い低剛性部２００Ｌに区分した構成となっている。
【００９３】
このため、カバー側係止リブ２１２をフランジ部１３２ｂから離れる方向へ持ち上げると、二箇所の通常剛性部２００Ｎの変形が抑制された状態で、低剛性部２００Ｌが湾曲して、縦板部２１２ａがフランジ部１３２ｂから離れる。
また、上述したように、ビス頭部２３０をカバー取り付け基部１３６と接触させた状態では、ボス部材嵌合部２１０とビス頭部２３０との間に、側面形成板部２０２の幅方向に沿った隙間Ｃが形成されている（図１５参照）。
【００９４】
このため、ボス部材嵌合部２１０とビス頭部２３０との間に形成されている隙間Ｃによって、カバー側係止リブ２１２をフランジ部１３２ｂから離れる方向へ持ち上げた際に、ボス部材嵌合部２１０がカバー取り付け基部１３６に対して揺動可能な空間が形成されている。これにより、カバー側係止リブ２１２をフランジ部１３２ｂから離れる方向へ持ち上げると、ボス部材嵌合部２１０がカバー取り付け基部１３６に対して隙間Ｃにより形成された空間を上方へ移動して、縦板部２１２ａがフランジ部１３２ｂから離れる。
【００９５】
また、ボス部材嵌合部２１０とビス頭部２３０との間に隙間Ｃを形成することにより、ボス部材嵌合部２１０とビス頭部２３０が接触している場合と比較して、カバー側係止リブ２１２をフランジ部１３２ｂから離れる方向へ持ち上げた際に、ボス部材嵌合部２１０に加わる応力を低減させることが可能となる。これにより、ハーネスカバー２００の損傷を抑制することが可能となる。
【００９６】
縦板部２１２ａがフランジ部１３２ｂから離れて、縦板部２１２ａの位置を、裏箱側係止リブ１３８を乗り越えることが可能な位置へ移動させた後、カバー側係止リブ２１２を、縦板部２１２ａが裏箱側係止リブ１３８を乗り越えて側壁部１３２ａから離れる方向へ移動させる。
このとき、ボス部材嵌合部２１０は、側面形成板部２０２及びリブ形成板部２０６の一部と連続しており、且つ円筒状に形成されている。また、ボス部材嵌合部２１０は、その内径面と、円筒状に形成されているカバー取り付け基部１３６の外径面とを対向させた状態で、カバー取り付け基部１３６に対し、ボス部材嵌合部２１０の中心軸を回転軸として回転可能に嵌合している。
【００９７】
また、本実施形態では、爪部側切り欠き部２２０の形状が、爪用平板部２１８ａが上記の条件（Ａ）及び（Ｂ）を満足する弾性を有する形状に設定されている。
このため、カバー側係止リブ２１２を、縦板部２１２ａが裏箱側係止リブ１３８を乗り越えて側壁部１３２ａから離れる方向へ移動させると、爪用平板部２１８ａが湾曲し、裏箱１３０が有する凹部内で側壁部１３２ａと対向している爪用突出部２１８ｂが、爪係止用開口部１４０を通過して側壁部１３２ａから離れる方向へ移動する。
【００９８】
これにより、ハーネスカバー２００が、ボス部材嵌合部２１０の中心軸を回転軸として回転する。そして、ハーネスカバー２００が、ボス部材嵌合部２１０がカバー取り付け基部１３６に嵌合している状態で、側面形成板部２０２と上辺形成板部２０４及びリブ形成板部２０６が裏箱１３０から離れ、ハーネスカバー２００がカバー開放状態となる。
また、ボス部材嵌合部２１０とビス頭部２３０との間に隙間Ｃを形成しているため、ボス部材嵌合部２１０とビス頭部２３０が接触している場合と比較して、ボス部材嵌合部２１０のカバー取り付け基部１３６に対する回転が円滑となり、遊技機１の組み立て作業に関し、作業効率を向上させることが可能となるとともに、ハーネスカバー２００の損傷を抑制することが可能となる。
【００９９】
上述した手順によって、ハーネスカバー２００を、カバー閉止状態からカバー開放状態に移行させた後、側面形成板部２０２と上辺形成板部２０４及びリブ形成板部２０６により形成された空間内に、複数本の配線をまとめて挿入する。なお、複数本の配線は、例えば、結束バンド等を用いてまとめた状態で、側面形成板部２０２と上辺形成板部２０４及びリブ形成板部２０６により形成された空間内に挿入してもよい。
このとき、上辺形成板部２０４は、幅広部２１４の一方の端部と側面形成板部２０２と連続する長辺と反対側の長辺とを連続して切り欠いた形状の端部側切り欠き部２２２を備えている。
【０１００】
このため、ハーネスカバー２００を、ボス部材嵌合部２１０の中心軸を回転軸として回転させ、上辺形成板部２０４を側壁部１３２ａから離間させると、側壁部１３２ａと上辺形成板部２０４との間に、フランジ部１３２ｂの厚さ方向から見て、上辺形成板部２０４が端部側切り欠き部２２２を備えていない場合よりも大きな隙間が形成される。これにより、側壁部１３２ａと上辺形成板部２０４との間に、上辺形成板部２０４が端部側切り欠き部２２２を備えていない場合と比較して、凹部内から取り出して裏箱１３０の外側へ取り出した配線を、側面形成板部２０２と上辺形成板部２０４及びリブ形成板部２０６により形成された空間内へ挿入する際に、ハーネスカバー２００を回転させる量（移動量）を減少させることが可能となる。
【０１０１】
また、上述したように、ハーネスカバー２００は、側面形成板部２０２のうちフランジ部１３２ｂに近い側の長辺と連続するリブ形成板部２０６を備えている。
このため、ハーネスカバー２００が、カバー取り付け基部１３６に嵌合しているボス部材嵌合部２１０のみで裏箱１３０に支持されている状態であっても、ハーネスカバー２００の湾曲が抑制されることとなる。これにより、側面形成板部２０２と上辺形成板部２０４及びリブ形成板部２０６により形成された空間の変形が抑制されるため、ハーネスカバー２００がリブ形成板部２０６を備えていない場合と比較して、側面形成板部２０２と上辺形成板部２０４及びリブ形成板部２０６により形成された空間内への配線の挿入が容易となる。
【０１０２】
また、上述したように、ハーネスカバー２００は、一辺が開口した長尺の筒状に形成されている。このため、ハーネスカバー２００により形成され、配線を収容可能な空間を、長い直線状に確保することが可能である。
裏箱１３０の外側へ取り出した配線を、側面形成板部２０２と上辺形成板部２０４及びリブ形成板部２０６により形成された空間内へ挿入した後、ハーネスカバー２００を、カバー開放状態からカバー閉止状態へ移行させる。
【０１０３】
ここで、ハーネスカバー２００をカバー閉止状態へ移行させる際には、製造ラインの作業者等が、例えば、横板部２１２ｂを把持しながら、カバー側係止リブ２１２を側壁部１３２ａへ近づく方向へ移動させて、縦板部２１２ａを裏箱側係止リブ１３８に接触させる。
上述したように、本実施形態では、裏箱側係止リブ１３８を、フランジ部１３２ｂの面に対して４５［°］の角度で傾斜する係止リブ斜面１３８ａを有する三角形の形状に形成している。これに加え、縦板部２１２ａに、フランジ部１３２ｂの面に対して４５［°］の角度で傾斜するカバー側斜面２１２ｃを形成している。
【０１０４】
このため、縦板部２１２ａを裏箱側係止リブ１３８に接触させると、係止リブ斜面１３８ａとカバー側斜面２１２ｃが面接触した状態で、縦板部２１２ａが裏箱側係止リブ１３８を乗り越えて側壁部１３２ａへ近づく方向へ移動することとなる。これにより、縦板部２１２ａは、係止リブ斜面１３８ａ及びカバー側斜面２１２ｃの傾斜に沿って、円滑に裏箱側係止リブ１３８を乗り越えることが可能となる。
【０１０５】
また、本実施形態では、爪部側切り欠き部２２０の形状が、爪用平板部２１８ａが上記の条件（Ｃ）を満足する弾性を有する形状に設定されている。
このため、縦板部２１２ａを裏箱側係止リブ１３８に接触させ、さらに、カバー側係止リブ２１２を側壁部１３２ａへ近づく方向へ移動させると、爪用平板部２１８ａが湾曲し、裏箱１３０が有する凹部の外側で側壁部１３２ａと接触している爪用突出部２１８ｂが、爪係止用開口部１４０を通過して、凹部内で側壁部１３２ａと対向する位置まで移動する。
【０１０６】
また、上述したように、本実施形態では、幅狭部２１６の幅Ｗ１を、幅広部２１４の幅Ｗ２未満としている。
このため、カバー側係止リブ２１２を側壁部１３２ａへ近づく方向へ移動させると、幅狭部２１６が側壁部１３２ａと接触する前に、幅広部２１４が側壁部１３２ａと接触することとなり、裏箱１３０が有する凹部の外側で側壁部１３２ａと接触している爪用突出部２１８ｂが、爪係止用開口部１４０を通過する際に、幅狭部２１６と側壁部１３２ａとの接触によって爪用突出部２１８ｂの移動が規制されることが防止される。
【０１０７】
そして、裏箱側係止リブ１３８を乗り越えた縦板部２１２ａを裏箱側係止リブ１３８よりも側壁部１３２ａ側に配置し、裏箱１３０が有する凹部内で爪用突出部２１８ｂが側壁部１３２ａと対向している状態とすると、裏箱１３０の外側へ取り出した配線を保持したハーネスカバー２００の、カバー開放状態からカバー閉止状態への移行を終了する。
配線を保持したハーネスカバー２００をカバー閉止状態とし、主制御装置３００及び演出制御装置４００と表側動作部とを配線で接続して、裏箱１３０が有する凹部内への遊技盤１００の収容を完了した後、前扉６を開放して、凹部内へ遊技盤１００を収容した裏箱１３０を枠本体２内に配置する。そして、前扉６を閉じ、遊技機１の組み立てを終了する。
【０１０８】
このとき、複数本の配線は、ハーネスカバー２００と側面部１３２、具体的には、上辺形成板部２０４及び側面形成板部２０２と、側壁部１３２ａ及びフランジ部１３２ｂとの間に形成されている空間内に収容されている。
このため、遊技盤１００を収容した裏箱１３０を枠本体２内に配置する際に、枠本体２内に存在する突出部分等との接触による配線の損傷を抑制することが可能である。
【０１０９】
（動作）
以下、図１から図１６を参照して、上記の構成を備えた遊技機１の動作を説明する。
遊技機１で遊技を行う遊技者は、発射ハンドル１０を操作して、遊技盤面１０２上に、遊技球を発射する。
そして、遊技盤面１０２上に発射された遊技球が普通図柄始動ゲート１０６を通過すると、この通過を検出した始動ゲートスイッチ１５４が、情報信号を主制御装置３００に出力する。始動ゲートスイッチ１５４が出力した情報信号の入力を受けた主制御装置３００は、普通図柄抽選を実行する。
【０１１０】
そして、普通図柄抽選に当選すると、始動入賞口ソレノイド５１０へ制御信号が出力され、閉止状態の開閉部材が始動入賞口ソレノイド５１０により駆動されて開放状態となり、第二始動入賞口１０８ｂが閉止状態から開放状態となる。
第二始動入賞口１０８ｂが開放状態となると、遊技者は、遊技球が第二始動入賞口１０８ｂへ入球するように遊技球を発射する。
【０１１１】
開放状態の第二始動入賞口１０８ｂへ遊技球が入球すると、この入球を検出した第二始動入賞口スイッチ１５０ｂが、情報信号を主制御装置３００に出力する。第二始動入賞口スイッチ１５０ｂが出力した情報信号の入力を受けた主制御装置３００は、特別図柄抽選を実行する。また、第一始動入賞口１０８ａへ遊技球が入球すると、この入球を検出した第一始動入賞口スイッチ１５０ａが、情報信号を主制御装置３００に出力する。第一始動入賞口スイッチ１５０ａが出力した情報信号の入力を受けた主制御装置３００は、特別図柄抽選を実行する。
【０１１２】
そして、特別図柄抽選に当選すると、大入賞口ソレノイド５１２へ制御信号が出力され、閉止状態であった開閉部材が大入賞口ソレノイド５１２により駆動されて開放状態となり、大入賞口１１６が閉止状態から開放状態となる。
なお、上述したように、本実施形態において、側壁部１３２ａは、側壁部及びフランジ部の一方に対応し、フランジ部１３２ｂは、側壁部及びフランジ部の他方に対応する。また、本実施形態において、上辺形成板部２０４は、第一板部に対応し、側面形成板部２０２は、第二板部に対応する。
【０１１３】
（第一実施形態の効果）
以下、本実施形態の効果を列挙する。
（１）本実施形態の遊技機１では、ハーネスカバー２００を移動させる際には、カバー取り付け基部１３６と嵌合しているボス部材嵌合部２１０を回転軸としてハーネスカバー２００を回転させて、爪用平板部２１８ａを弾性変形させながら、爪用突出部２１８ｂを、側壁部１３２ａと接触した状態で爪係止用開口部１４０を通過させる。すなわち、ハーネスカバー２００を移動させる際には、カバー側爪部２１８を、弾性変形させながら爪係止用開口部１４０を通過させる。
【０１１４】
このため、ハーネスカバー２００の閉止時に、爪用平板部２１８ａ及び爪用突出部２１８ｂに加わる応力を低減させることが可能となる。すなわち、ハーネスカバー２００の閉止時に、カバー側爪部２１８に加わる応力を低減させることが可能となる。
その結果、裏箱１３０の外側で配線を保持する部材であるハーネスカバー２００の損傷を抑制することが可能となる。
これにより、裏箱１３０の外側において、配線をハーネスカバー２００で保持することにより、裏箱１３０の内部において配線が占める領域を減少可能であるとともに、ハーネスカバー２００の損傷を抑制することが可能となる。
【０１１５】
（２）本実施形態の遊技機１では、上辺形成板部２０４が、爪用突出部２１８ｂが側壁部１３２ａと接触しながら爪係止用開口部１４０を通過可能な弾性を爪用平板部２１８ａに付与するように上辺形成板部２０４を切り欠いた、爪部側切り欠き部２２０（２２０ａ，２２０ｂ）を備えている。
このため、上辺形成板部２０４を切り欠いて形成した爪部側切り欠き部２２０（２２０ａ，２２０ｂ）により、爪用平板部２１８ａに、爪用突出部２１８ｂが側壁部１３２ａと接触しながら爪係止用開口部１４０を通過可能な弾性を付与することが可能となる。すなわち、爪部側切り欠き部２２０により、カバー側爪部２１８に、カバー側爪部２１８が側壁部１３２ａと接触しながら爪係止用開口部１４０を通過可能な弾性を付与することが可能となる。
その結果、ハーネスカバー２００の材料の変更や、上辺形成板部２０４の薄肉加工等を必要とせずに、爪用平板部２１８ａに、爪用突出部２１８ｂが側壁部１３２ａと接触しながら爪係止用開口部１４０を通過可能な弾性を付与することが可能となる。
【０１１６】
（３）本実施形態の遊技機１では、ハーネスカバー２００が、爪用平板部２１８ａとボス部材嵌合部２１０との間における予め設定した部分の剛性である低剛性部２００Ｌを、爪用平板部２１８ａとボス部材嵌合部２１０との間における他の部分（通常剛性部２００Ｎ）の剛性よりも低下させる剛性低下部２０８を備えている。
このため、ハーネスカバー２００を、通常剛性部２００Ｎのよりも剛性の低い低剛性部２００Ｌと、低剛性部２００Ｌよりも剛性が高く、爪用平板部２１８ａとボス部材嵌合部２１０を備える二箇所の通常剛性部２００Ｎに区分することが可能となる。すなわち、ハーネスカバー２００を、低剛性部２００Ｌと、低剛性部２００Ｌよりも剛性が高く、カバー側爪部２１８とボス部材嵌合部２１０を備える二箇所の通常剛性部２００Ｎに区分することが可能となる。
【０１１７】
その結果、ハーネスカバー２００を移動させる際に、裏箱側係止リブ１３８を乗り越えさせるためにカバー側係止リブ２１２を持ち上げると、二箇所の通常剛性部２００Ｎの変形が抑制された状態で、低剛性部２００Ｌを湾曲させることが可能となる。
これにより、ボス部材嵌合部２１０を備える通常剛性部２００Ｎの変形を抑制して、カバー取り付け基部１３６に対するボス部材嵌合部２１０の回転を安定させることが可能となる。これに加え、爪用平板部２１８ａ及びカバー側係止リブ２１２を備える通常剛性部２００Ｎの変形を抑制して、ハーネスカバー２００の回転を安定させることが可能となる。
【０１１８】
（４）本実施形態の遊技機１では、剛性低下部２０８を、側面形成板部２０２と幅広部２１４が連続している部分を切り欠いたスリット２２４で形成している。
このため、剛性低下部２０８を、例えば、硬化後の剛性が異なる樹脂材料を用いた二色成型や、薄肉加工や、複数の開口部により形成する場合と比較して、ハーネスカバー２００に剛性低下部２０８を容易に形成することが可能となる。
その結果、カバー側係止リブ２１２を持ち上げた際に、二箇所の通常剛性部２００Ｎの変形が抑制された状態で、低剛性部２００Ｌを湾曲させることが可能なハーネスカバー２００を製造可能であるとともに、ハーネスカバー２００の製造コストを低減させることが可能となる。
【０１１９】
（５）本実施形態の遊技機１では、上辺形成板部２０４が、側面形成板部２０２と連続する辺と反対側の辺とボス部材嵌合部２１０に近い端部とを連続して切り欠いた形状の端部側切り欠き部２２２を備えている。
このため、ハーネスカバー２００を移動させて上辺形成板部２０４を側壁部１３２ａから離間させると、上辺形成板部２０４と側壁部１３２ａとの間に、フランジ部１３２ｂの厚さ方向から見て、上辺形成板部２０４が端部側切り欠き部２２２を備えていない場合よりも大きな隙間を形成することが可能となる。
その結果、上辺形成板部２０４と側壁部１３２ａとの間に同じ大きさの隙間を形成するために必要なハーネスカバー２００の移動量を、減少させることが可能となる。これにより、ハーネスカバー２００内に形成した空間に配線を収容する際の作業効率を向上させることが可能となる。
【０１２０】
（６）本実施形態の遊技機１では、裏箱側係止リブ１３８が、側壁部１３２ａから離れるにつれてフランジ部１３２ｂへ近づく角度で傾斜する斜面である係止リブ斜面１３８ａを有している。
このため、ハーネスカバー２００を移動させて、カバー側係止リブ２１２が裏箱側係止リブ１３８を乗り越える際に、カバー側係止リブ２１２が、係止リブ斜面１３８ａの傾斜に沿って裏箱側係止リブ１３８を乗り越えることが可能となる。
【０１２１】
その結果、ハーネスカバー２００を側壁部１３２ａへ近づく方向へ移動させる際に、カバー側係止リブ２１２を持ち上げなくとも、カバー側係止リブ２１２を、係止リブ斜面１３８ａの傾斜に沿ってハーネスカバーを側壁部１３２ａへ近づく方向へ移動させながら、裏箱側係止リブ１３８を乗り越えさせることが可能となる。
これにより、ハーネスカバー２００をカバー開放状態からカバー閉止状態へ移行させる際に、作業効率を向上させることが可能となるとともに、ハーネスカバー２００の損傷を抑制することが可能となる。
【０１２２】
（７）本実施形態の遊技機１では、側面形成板部２０２が、カバー閉止状態にて側壁部１３２ａと裏箱側係止リブ１３８との間に配置されるカバー側係止リブ２１２を備えている。
このため、カバー閉止状態では、側面形成板部２０２が備えるカバー側係止リブ２１２を、側壁部１３２ａと裏箱側係止リブ２１２との間に配置することが可能となる。
その結果、ハーネスカバー２００の閉止時に、ハーネスカバー２００の変位を抑制して、カバー閉止状態を維持することが可能となる。
【０１２３】
（８）本実施形態の遊技機１では、カバー側係止リブ２１２が、側壁部１３２ａから離れるにつれてフランジ部１３２ｂへ近づく角度で傾斜する斜面であるカバー側斜面２１２ｃを有している。
このため、ハーネスカバー２００を移動させて、カバー側係止リブ２１２が裏箱側係止リブ１３８を乗り越える際に、カバー側係止リブ２１２が、カバー側斜面２１２ｃの傾斜に沿って裏箱側係止リブ１３８を乗り越えることが可能となる。
【０１２４】
その結果、ハーネスカバー２００を側壁部１３２ａへ近づく方向へ移動させる際に、カバー側係止リブ２１２を持ち上げなくとも、カバー側係止リブ２１２を、カバー側斜面２１２ｃの傾斜に沿ってハーネスカバーを側壁部１３２ａへ近づく方向へ移動させながら、裏箱側係止リブ１３８を乗り越えさせることが可能となる。
これにより、ハーネスカバー２００をカバー開放状態からカバー閉止状態へ移行させる際に、作業効率を向上させることが可能となるとともに、ハーネスカバー２００の損傷を抑制することが可能となる。
【０１２５】
また、カバー側係止リブ２１２が裏箱側係止リブ１３８を乗り越えているとともに、カバー側爪部２１８が爪係止用開口部１４０と係合している状態では、裏箱側係止リブ１３８のうち、係止リブ斜面１３８ａ側と反対側の面であり、カバー閉止状態にて側壁部１３２ａと対抗する側の面が、フランジ部１３２ｂに対して略垂直の形状となっているため、カバー側係止リブ２１２が裏箱側係止リブ１３８を乗り越え難くなっている。
このため、カバー側係止リブ２１２が裏箱側係止リブ１３８を乗り越えているとともに、カバー側爪部２１８が爪係止用開口部１４０と係合している状態では、ハーネスカバー２００のカバー閉止状態からカバー開放状態への移行が抑制されており、ハーネスカバー２００と裏箱１３０との係合が外れにくくなる。
【０１２６】
（９）本実施形態の遊技機１では、ハーネスカバー２００が、側面形成板部２０２と連続し、且つカバー閉止状態にて上辺形成板部２０４よりもフランジ部１３２ｂと近接して対向する板状のリブ形成板部２０６を備えている。
このため、ハーネスカバー２００を側壁部１３２ａから離れる方向へ移動させて、ハーネスカバー２００が、カバー取り付け基部１３６に嵌合しているボス部材嵌合部２１０のみで裏箱１３０に支持されている状態であっても、ハーネスカバー２００の湾曲を抑制することが可能となる。
その結果、ハーネスカバー２００が、カバー取り付け基部１３６に嵌合しているボス部材嵌合部２１０のみで裏箱１３０に支持されている状態であっても、配線の少なくとも一部を内部に収容する空間の変形を抑制することが可能となる。
【０１２７】
（１０）本実施形態の遊技機１が備えるハーネスカバー２００では、ハーネスカバー２００を移動させる際に、ハーネスカバー２００を回転させて、カバー側係止リブ２１２に裏箱側係止リブ１３８を乗り越えさせる。これに加え、爪用平板部２１８ａを弾性変形させながら、爪用突出部２１８ｂを、側壁部１３２ａと接触した状態で爪係止用開口部１４０を通過させる。
このため、ハーネスカバー２００の閉止時に、爪用平板部２１８ａ及び爪用突出部２１８ｂに加わる応力を低減させることが可能となる。すなわち、ハーネスカバー２００の閉止時に、カバー側爪部２１８に加わる応力を低減させることが可能となる。
【０１２８】
その結果、裏箱１３０が備えるハーネスカバー２００の損傷を抑制することが可能となる。
また、カバー側係止リブ２１２が裏箱側係止リブ１３８を乗り越えているとともに、カバー側爪部２１８が爪係止用開口部１４０と係合している状態では、上記の（８）と同様の理由により、ハーネスカバー２００のカバー閉止状態からカバー開放状態への移行が抑制されており、ハーネスカバー２００と裏箱１３０との係合が外れにくくなる。
【０１２９】
（変形例）
以下、本実施形態の変形例を列挙する。
（１）本実施形態では、カバー取り付け基部１３６を、フランジ部１３２ｂから側壁部１３２ａの厚さ方向と交差する方向へ突出する円筒状に形成したが、カバー取り付け基部１３６の構成は、これに限定するものではない。
すなわち、例えば、図１７中に示すように、カバー取り付け基部１３６を、フランジ部１３２ｂと一体に形成された複数本の分割ネジ部材１４６により形成してもよい。なお、図１７は、本実施形態の変形例を示す図である。
ここで、各分割ネジ部材１４６は、分割ネジ軸部１４６ａと、分割ネジ頭部１４６ｂを有する。
【０１３０】
分割ネジ軸部１４６ａは、フランジ部１３２ｂから側壁部１３２ａの厚さ方向と交差する方向へ突出し、ボス部材嵌合部２１０が有する貫通孔内に配置されている。
また、分割ネジ軸部１４６ａの長さ（フランジ部１３２ｂからの突出量）は、図１７中に示すように、ボス部材嵌合部２１０をカバー取り付け基部１３６に嵌合させた状態で、ボス部材嵌合部２１０と分割ネジ頭部１４６ｂとの間に、側面形成板部２０２の幅方向（長辺間の長さ方向）に沿った隙間Ｃが形成される長さに設定する。
分割ネジ頭部１４６ｂは、分割ネジ軸部１４６ａの先端側に設けられており、分割ネジ軸部１４６ａの先端からボス部材嵌合部２１０の外径方向へ突出して、ボス部材嵌合部２１０の上方に配置される分割ネジ頭部１４６ｂを有する。
【０１３１】
このような構成のカバー取り付け基部１３６であれば、本実施形態と異なり、カバー取付けビス２２６を用いることなく、ボス部材嵌合部２１０を、抜け止めを有する状態で、カバー取り付け基部１３６に嵌合させることが可能となる。
これにより、遊技機１の部品コストを低減させることが可能となるとともに、ドライバー等を用いたネジ止め作業が不要となるため、遊技機１の製造効率を向上させることが可能となる。また、カバー取付けビス２２６が損傷して発生した金属製のカスによる配線の損傷を、防止することが可能となる。
【０１３２】
（２）本実施形態では、ハーネスカバー２００を備える遊技機１をパチンコ機としたが、これに限定するものではなく、ハーネスカバー２００を備える遊技機１を、パチスロ機等、他の遊技機としてもよい。
（３）本実施形態では、ハーネスカバー２００を、パチンコ機やパチスロ機等の遊技機に適用した場合を説明したが、ハーネスカバー２００の適用対象は、遊技機に限定するものではなく、例えば、ゲームセンターに設置されており、内部の基板を交換してゲーム内容を変更可能な筐体に適用してもよい。
（４）本実施形態では、剛性低下部２０８をスリット２２４により形成したが、これに限定するものではなく、例えば、剛性低下部２０８を、硬化後の剛性が異なる樹脂材料を用いた二色成型や、薄肉加工や、複数の開口部（ミシン目等）により形成してもよい。
【０１３３】
（５）本実施形態では、側壁部１３２ａを、側壁部１３２ａ及びフランジ部１３２ｂの一方とし、フランジ部１３２ｂを、側壁部１３２ａ及びフランジ部１３２ｂの他方としたが、これに限定するものではない。すなわち、側壁部１３２ａを、側壁部１３２ａ及びフランジ部１３２ｂの他方とし、フランジ部１３２ｂを、側壁部１３２ａ及びフランジ部１３２ｂの一方としてもよい。この場合、上辺形成板部２０４が第二板部に対応し、側面形成板部２０２が第一板部に対応する。
（６）フランジ部１３２ｂにカバー取り付け基部１３６を形成し、側壁部１３２ａに爪係止用開口部１４０を形成したが、これに限定するものではなく、側壁部１３２ａにカバー取り付け基部１３６を形成し、フランジ部１３２ｂに爪係止用開口部１４０を形成してもよい。
【符号の説明】
【０１３４】
１    遊技機
２    枠本体
４    前枠
６    前扉
６ａ  透明板
６ｂ  装飾部
６ｃ  音抜孔
８    受皿ユニット
８ａ  受皿
８ｂ  演出操作装置
１０  発射ハンドル
１００  遊技盤
１０２  遊技盤面
１０４  演出図柄表示装置
１０６  普通図柄始動ゲート
１０８  始動入賞装置
１０８ａ  第一始動入賞口
１０８ｂ  第二始動入賞口
１１０ａ  第一特別図柄表示装置
１１０ｂ  第二特別図柄表示装置
１１２  普通図柄表示装置
１１４  遊技状態表示装置
１１６  大入賞口
１１８  アウト口
１２０  電動役物
１３０  裏箱
１３２  側面部
１３２ａ  側壁部
１３２ｂ  フランジ部
１３４  背面部
１３６  カバー取り付け基部
１３８  裏箱側係止リブ
１３８ａ  係止リブ斜面
１４０  爪係止用開口部
１４２  配線配置用開口部
１４４  基部側孔部
１４６  分割ネジ部材
１４６ａ  分割ネジ軸部
１４６ｂ  分割ネジ頭部
１５０ａ  第一始動入賞口スイッチ
１５０ｂ  第二始動入賞口スイッチ
１５２  大入賞口スイッチ
１５４  始動ゲートスイッチ
２００  ハーネスカバー
２００Ｎ  通常剛性部
２００Ｌ  低剛性部
２０２  側面形成板部
２０４  上辺形成板部
２０６  リブ形成板部
２０８  剛性低下部
２１０  ボス部材嵌合部
２１２  カバー側係止リブ
２１２ａ  縦板部
２１２ｂ  横板部
２１２ｃ  カバー側斜面
２１４  幅広部
２１６  幅狭部
２１８  カバー側爪部
２１８ａ  爪用平板部
２１８ｂ  爪用突出部
２２０  爪部側切り欠き部（２２０ａ，２２０ｂ）
２２２  端部側切り欠き部
２２４  スリット
２２６  カバー取付けビス
２２８  ビス軸部
２３０  ビス頭部
３００  主制御装置
３０２  主制御側入力ポート
３０４  主制御側出力ポート
３０６  主制御側ＣＰＵ
３０８  主制御側ＲＯＭ
３１０  主制御側ＲＡＭ
３１２  電源回路
４００  演出制御装置
４０２  演出制御側ＲＯＭ
４０４  演出制御側ＲＡＭ
５００  表示制御装置
５０２  ランプ制御装置
５０４  効果音制御装置
５０６  役物制御装置
５０８  賞球払出制御装置
５１０  始動入賞口ソレノイド
５１２  大入賞口ソレノイド
５１４  ホールコンピュータ
５１６  ランプ
５１８  スピーカ
Ｗ１  幅狭部の幅
Ｗ２  幅広部の幅
Ｗ３  爪用平板部の幅
Ｃ    ボス部材嵌合部とビス頭部との間の隙間
【図１】
0006009827.tif 000002
【図２】
0006009827.tif 000003
【図３】
0006009827.tif 000004
【図４】
0006009827.tif 000005
【図５】
0006009827.tif 000006
【図６】
0006009827.tif 000007
【図７】
0006009827.tif 000008
【図８】
0006009827.tif 000009
【図９】
0006009827.tif 000010
【図１０】
0006009827.tif 000011
【図１１】
0006009827.tif 000012
【図１２】
0006009827.tif 000013
【図１３】
0006009827.tif 000014
【図１４】
0006009827.tif 000015
【図１５】
0006009827.tif 000016
【図１６】
0006009827.tif 000017
【図１７】
0006009827.tif 000018